(57)【要約】【課題】本発明は安全性能を強化したマルチロックを開示した。【解決手段】主体を含み、前記主体の中には前に開口した開きチャンバが設けられ、前記開きチャンバの中には暗証番号スライドドア部品が設けられ、本発明のマルチロックは全体構成ではもっと合理的で巧妙であり、使用しやすく、暗証番号錠を第一の防護とし、錠の安全性能を大幅に向上させ、且つスライドドアを閉めることにより挿しチャンバにあるキーをロックでき、更に錠の安全性能を向上させ、高い使用価値と普及価値を有する。【選択図】図１
2020180533.tif 000002
【特許請求の範囲】
【請求項１】
主体を含み、前記主体の中には前に開口した開きチャンバが設けられ、前記開きチャンバの中には暗証番号スライドドア部品が設けられ、前記開きチャンバの後側壁の中には真偽錠前部品が設けられ、前記真偽錠前部品が解錠部品及びセーフティロック部品を含み、前記セーフティロック部品が、前記開きチャンバの後側に設置される上下対称的な、且つ前に開口した挿しチャンバを含み、前記挿しチャンバの後側壁の中には第一感応ブロックが固定的に設けられ、前記挿しチャンバの下側壁の中には第一空きチャンバが連通して設けられ、前記第一空きチャンバの中にはキーの下端と噛み合える第一プーリが回転できるように設けられ、前記第一プーリの後側には回転できる第二プーリが連結され、前記挿しチャンバの後側壁の中には前記第一空きチャンバと連通する第二空きチャンバが設けられ、前記第二空きチャンバの中には前記第二プーリと噛み合うアンチセフトスライダがスライドできるように装着され、前記アンチセフトスライダの後端には第一アンチセフト軸が回転できるように装着され、前記第一アンチセフト軸の後端には第一ベベルギヤが固定的に連結され、前記第二空きチャンバの中には前記第一ベベルギヤと噛み合える第二ベベルギヤが設けられ、前記第二ベベルギヤの左端には第三ベベルギヤが固定的に連結され、前記第三ベベルギヤの軸心のところには第二アンチセフト軸が固定的に連結され、上下両側の前記第二アンチセフト軸の間がベルトにより連結され、前記第二空きチャンバの後側には動力部品が設けられ、前記開きチャンバの下側にはセーフティロック補助部品が設けられ、前記セーフティロック補助部品の後側壁の中には施錠部品が設けられることを特徴とする安全性能を強化したマルチロック。
【請求項２】
前記暗証番号スライドドア部品は、前記開きチャンバの中に設置される左右対称のスライドドアを含み、前記スライドドアには上下対称のスライドロッド溝が設置され、前記スライドロッド溝の中には一端が前記開きチャンバに固定的に連結されるスライドロッドがスライドできるように連結され、前記スライドドアには第一ばねが固定的に設けられ、前記スライドドアの上端の中には上に開口した第一引っ掛かり溝が設けられ、前記開きチャンバの上側壁の中には第三空きチャンバが設けられ、前記第三空きチャンバの上側壁の中には暗証番号で制御できる暗証番号モータが固定的に設けられ、前記暗証番号モータの下端には暗証番号軸が連結され、前記暗証番号軸の下端にはリールが固定的に連結され、前記第三空きチャンバの左右側壁の中には前記リールと引き線により連結される第一リール機構が設けられ、前記第一リール機構の下側には、下に開口し、且つ、前記第一引っ掛かり溝と位置合わせする暗証番号スライダ溝が設けられ、前記暗証番号スライダ溝の中には、下端が前記第一引っ掛かり溝の中に伸びており、且つ、前記第一リール機構と引き線により連結される暗証番号スライダが設けられ、前記暗証番号スライダの上端には第二ばねが固定的に連結されることを特徴とする請求項１に記載の安全性能を強化したマルチロック。
【請求項３】
前記セーフティロック補助部品は、前記開きチャンバの下側に設置される上に開口した補助アンチセフト溝を含み、前記補助アンチセフト溝の中には回転できる第一ギヤが設けられ、前記第一ギヤの上端には左右にスライドできる第一ラックが噛み合って連結され、前記第一ラックの上端には左側の前記スライドドアと固定的に連結される第一固定ブロックが固定的に連結され、前記第一ギヤの下端には左右にスライドできる第二ラックが噛み合って連結され、前記第二ラックの上端において前記第一ラックの前側には右側の前記スライドドアと固定的に連結される第二固定ブロックが固定的に連結され、前記補助アンチセフト溝の後側には第四空きチャンバが設けられ、前記第一ギヤの軸心のところには後端が前記第四空きチャンバの中に伸びている第一補助アンチセフト軸が固定的に連結され、前記第一補助アンチセフト軸の後端には第四ベベルギヤが固定的に連結され、前記第四ベベルギヤの左端には第五ベベルギヤが固定的に連結され、前記第五ベベルギヤの軸心のところには、右端が下側の前記第二アンチセフト軸とベルトにより連結される第二補助アンチセフト軸が連結されることを特徴とする請求項１に記載の安全性能を強化したマルチロック。
【請求項４】
前記動力部品は、上側の前記第二空きチャンバの上側壁の中に設置されるミニモータを含み、前記ミニモータが前記第一感応ブロックと電気的に接続でき、前記ミニモータの下端には第一主軸が連結され、前記第一主軸には前記第一ベベルギヤと噛み合える第六ベベルギヤが固定的に連結され、前記第二空きチャンバの下側壁の中には第五空きチャンバが設けられ、前記第五空きチャンバの中には第七ベベルギヤが上下対称的に設けられ、前記第一主軸の下端が前記第五空きチャンバの中に伸びており、且つ上側の前記第七ベベルギヤと固定的に連結され、前記第七ベベルギヤの左端には第八ベベルギヤが噛み合って連結され、下側の前記第七ベベルギヤの軸心のところには第二主軸が固定的に連結され、前記第二主軸の下端が下側の前記第二空きチャンバの中に伸びており、且つ前記第二主軸の下端には下側の前記第一ベベルギヤと噛み合える第九ベベルギヤが固定的に連結されることを特徴とする請求項１に記載の安全性能を強化したマルチロック。
【請求項５】
前記解錠部品は、前記開きチャンバの後側に設置される前に開口した解錠溝を含み、前記解錠溝の後側壁の中には前記ミニモータと電気的に接続できる第二感応ブロックが固定的に設けられ、前記解錠溝の下側にはギヤトレーン溝が連通して設けられ、前記ギヤトレーン溝の中にはキーと連結できるギヤトレーンが設けられ、前記ギヤトレーン溝の後側壁の中には前記第五空きチャンバと連通する第六空きチャンバが連通して設けられ、前記第六空きチャンバの中には前後にスライドできる解錠スライダが設けられ、前記解錠スライダの後端には解錠軸が回転できるように装着され、前記解錠軸の後端には方形ブロックが固定的に連結され、前記解錠軸には前記第七ベベルギヤと噛み合える解錠ギヤが固定的に連結され、前記第五空きチャンバの後側内壁には前記方形ブロックと結合できるスプラインブロックが回転できるように装着され、前記第五空きチャンバの下側壁の中には後ろに開口したロック溝が設けられ、前記ロック溝の中には前後にスライドでき、且つ下端が歯形であるスライドロックブロックが設けられ、前記スライドロックブロックの上端の中には上に開口した第二引っ掛かり溝が設けられ、前記スライドロックブロックの下端にはばね機構が固定的に設けられ、前記第五空きチャンバと前記ロック溝との間には解錠孔が連通して設けられ、前記解錠孔の中には、前記第二引っ掛かり溝の中まで上下にスライドできる第二引っ掛かりブロックが設けられ、前記スプラインブロックと前記第二引っ掛かりブロックとが引き線により連結され、前記施錠部品は、前記ロック溝の下側壁の中に設置される上に開口した施錠溝を含み、前記施錠溝の中には前記スライドロックブロックの下端歯形と噛み合える第一施錠ギヤが設けられ、前記第一施錠ギヤの軸心のところには第一施錠軸が固定的に連結され、前記施錠溝の左側壁の中には第七空きチャンバが設けられ、前記第一施錠軸の左端にはラチェットが固定的に連結され、前記ラチェットの下端には第二施錠ギヤが噛み合って連結され、前記第二施錠ギヤの軸心のところには外界に伸びている第二施錠軸が固定的に連結され、前記第二施錠軸の下端には施錠ボールが固定的に連結されることを特徴とする請求項１に記載の安全性能を強化したマルチロック。
【発明の詳細な説明】
【技術分野】
【０００１】
本発明は錠前技術分野を取り上げて、具体的には安全性能を強化したマルチロックである。
【背景技術】
【０００２】
従来技術における錠前のキーホールが外に露出し、悪意をもつ人に塞がれやすく、マスタキーで開けられやすいので、安全保護性能に欠陥が存在している。
【先行技術文献】
【特許文献】
【０００３】
【特許文献１】中国特許出願公開第104420722号明細書
【発明の概要】
【発明が解決しようとする課題】
【０００４】
本発明は安全性能を強化したマルチロックを提供し、従来技術における上記欠点を解消することを目的とする。
【課題を解決するための手段】
【０００５】
上記の目的を実現するために、本発明は以下の技術プランを提供する：本発明の実施例の安全性能を強化したマルチロックは、主体を含み、前記主体の中には前に開口した開きチャンバが設けられ、前記開きチャンバの中には暗証番号スライドドア部品が設けられ、前記開きチャンバの後側壁の中には真偽錠前部品が設けられ、前記真偽錠前部品が解錠部品及びセーフティロック部品を含み、前記セーフティロック部品が、前記開きチャンバの後側に設置される上下対称的な、且つ前に開口した挿しチャンバを含み、前記挿しチャンバの後側壁の中には第一感応ブロックが固定的に設けられ、前記挿しチャンバの下側壁の中には第一空きチャンバが連通して設けられ、前記第一空きチャンバの中にはキーの下端と噛み合える第一プーリが回転できるように設けられ、前記第一プーリの後側には回転できる第二プーリが連結され、前記挿しチャンバの後側壁の中には前記第一空きチャンバと連通する第二空きチャンバが設けられ、前記第二空きチャンバの中には前記第二プーリと噛み合うアンチセフトスライダがスライドできるように装着され、前記アンチセフトスライダの後端には第一アンチセフト軸が回転できるように装着され、前記第一アンチセフト軸の後端には第一ベベルギヤが固定的に連結され、前記第二空きチャンバの中には前記第一ベベルギヤと噛み合える第二ベベルギヤが設けられ、前記第二ベベルギヤの左端には第三ベベルギヤが固定的に連結され、前記第三ベベルギヤの軸心のところには第二アンチセフト軸が固定的に連結され、上下両側の前記第二アンチセフト軸の間がベルトにより連結され、前記第二空きチャンバの後側には動力部品が設けられ、前記開きチャンバの下側にはセーフティロック補助部品が設けられ、前記セーフティロック補助部品の後側壁の中には施錠部品が設けられる。
【０００６】
更の技術プランとしては、前記暗証番号スライドドア部品は、前記開きチャンバの中に設置される左右対称のスライドドアを含み、前記スライドドアには上下対称のスライドロッド溝が設置され、前記スライドロッド溝の中には一端が前記開きチャンバに固定的に連結されるスライドロッドがスライドできるように連結され、前記スライドドアには第一ばねが固定的に設けられ、前記スライドドアの上端の中には上に開口した第一引っ掛かり溝が設けられ、前記開きチャンバの上側壁の中には第三空きチャンバが設けられ、前記第三空きチャンバの上側壁の中には暗証番号で制御できる暗証番号モータが固定的に設けられ、前記暗証番号モータの下端には暗証番号軸が連結され、前記暗証番号軸の下端にはリールが固定的に連結され、前記第三空きチャンバの左右側壁の中には前記リールと引き線により連結される第一リール機構が設けられ、前記第一リール機構の下側には、下に開口し、且つ、前記第一引っ掛かり溝と位置合わせする暗証番号スライダ溝が設けられ、前記暗証番号スライダ溝の中には、下端が前記第一引っ掛かり溝の中に伸びており、且つ、前記第一リール機構と引き線により連結される暗証番号スライダが設けられ、前記暗証番号スライダの上端には第二ばねが固定的に連結される。
【０００７】
更の技術プランとしては、前記セーフティロック補助部品は、前記開きチャンバの下側に設置される上に開口した補助アンチセフト溝を含み、前記補助アンチセフト溝の中には回転できる第一ギヤが設けられ、前記第一ギヤの上端には左右にスライドできる第一ラックが噛み合って連結され、前記第一ラックの上端には左側の前記スライドドアと固定的に連結される第一固定ブロックが固定的に連結され、前記第一ギヤの下端には左右にスライドできる第二ラックが噛み合って連結され、前記第二ラックの上端において前記第一ラックの前側には右側の前記スライドドアと固定的に連結される第二固定ブロックが固定的に連結され、前記補助アンチセフト溝の後側には第四空きチャンバが設けられ、前記第一ギヤの軸心のところには後端が前記第四空きチャンバの中に伸びている第一補助アンチセフト軸が固定的に連結され、前記第一補助アンチセフト軸の後端には第四ベベルギヤが固定的に連結され、前記第四ベベルギヤの左端には第五ベベルギヤが固定的に連結され、前記第五ベベルギヤの軸心のところには、右端が下側の前記第二アンチセフト軸とベルトにより連結される第二補助アンチセフト軸が連結される。
【０００８】
更の技術プランとしては、前記動力部品は、上側の前記第二空きチャンバの上側壁の中に設置されるミニモータを含み、前記ミニモータが前記第一感応ブロックと電気的に接続でき、前記ミニモータの下端には第一主軸が連結され、前記第一主軸には前記第一ベベルギヤと噛み合える第六ベベルギヤが固定的に連結され、前記第二空きチャンバの下側壁の中には第五空きチャンバが設けられ、前記第五空きチャンバの中には第七ベベルギヤが上下対称的に設けられ、前記第一主軸の下端が前記第五空きチャンバの中に伸びており、且つ上側の前記第七ベベルギヤと固定的に連結され、前記第七ベベルギヤの左端には第八ベベルギヤが噛み合って連結され、下側の前記第七ベベルギヤの軸心のところには第二主軸が固定的に連結され、前記第二主軸の下端が下側の前記第二空きチャンバの中に伸びており、且つ前記第二主軸の下端には下側の前記第一ベベルギヤと噛み合える第九ベベルギヤが固定的に連結される。
【０００９】
更の技術プランとしては、前記解錠部品は、前記開きチャンバの後側に設置される前に開口した解錠溝を含み、前記解錠溝の後側壁の中には前記ミニモータと電気的に接続できる第二感応ブロックが固定的に設けられ、前記解錠溝の下側にはギヤトレーン溝が連通して設けられ、前記ギヤトレーン溝の中にはキーと連結できるギヤトレーンが設けられ、前記ギヤトレーン溝の後側壁の中には前記第五空きチャンバと連通する第六空きチャンバが連通して設けられ、前記第六空きチャンバの中には前後にスライドできる解錠スライダが設けられ、前記解錠スライダの後端には解錠軸が回転できるように装着され、前記解錠軸の後端には方形ブロックが固定的に連結され、前記解錠軸には前記第七ベベルギヤと噛み合える解錠ギヤが固定的に連結され、前記第五空きチャンバの後側内壁には前記方形ブロックと結合できるスプラインブロックが回転できるように装着され、前記第五空きチャンバの下側壁の中には後ろに開口したロック溝が設けられ、前記ロック溝の中には前後にスライドでき、且つ下端が歯形であるスライドロックブロックが設けられ、前記スライドロックブロックの上端の中には上に開口した第二引っ掛かり溝が設けられ、前記スライドロックブロックの下端にはばね機構が固定的に設けられ、前記第五空きチャンバと前記ロック溝との間には解錠孔が連通して設けられ、前記解錠孔の中には、前記第二引っ掛かり溝の中まで上下にスライドできる第二引っ掛かりブロックが設けられ、前記スプラインブロックと前記第二引っ掛かりブロックとが引き線により連結される。
【００１０】
更の技術プランとしては、前記施錠部品は、前記ロック溝の下側壁の中に設置される上に開口した施錠溝を含み、前記施錠溝の中には前記スライドロックブロックの下端歯形と噛み合える第一施錠ギヤが設けられ、前記第一施錠ギヤの軸心のところには第一施錠軸が固定的に連結され、前記施錠溝の左側壁の中には第七空きチャンバが設けられ、前記第一施錠軸の左端にはラチェットが固定的に連結され、前記ラチェットの下端には第二施錠ギヤが噛み合って連結され、前記第二施錠ギヤの軸心のところには外界に伸びている第二施錠軸が固定的に連結され、前記第二施錠軸の下端には施錠ボールが固定的に連結される。
【発明の効果】
【００１１】
本発明の有益効果は：本発明のマルチロックは全体構成ではもっと合理的で巧妙であり、使用しやすく、暗証番号錠を第一の防護とし、錠の安全性能を大幅に向上させ、且つスライドドアを閉めることにより挿しチャンバにあるキーをロックでき、更に錠の安全性能を向上させ、高い使用価値と普及価値を有する。
【図面の簡単な説明】
【００１２】
【図１】図１は本発明の内部全体構成模式図
【図２】図２は図１の「Ａ−Ａ」方向の断面図
【図３】図３は本発明の図２の「Ｂ−Ｂ」方向の断面図
【図４】図４は本発明の中のラチェットの構成模式図
【発明を実施するための形態】
【００１３】
以下に図１〜４を交えて本発明について詳しく説明する。便利に叙述するために、現在は後文に出る方位を下記の通りに規定する：後文に出る上下左右前後方向は図１本体の投影関係の上下左右前後方向と一致する。
【００１４】
図１〜４を参照し、本発明の実施例の安全性能を強化したマルチロックは、主体９１を含み、前記主体９１の中には前に開口した開きチャンバ９０が設けられ、前記開きチャンバ９０の中には暗証番号スライドドア部品１０１が設けられ、前記開きチャンバ９０の後側壁の中には真偽錠前部品１０６が設けられ、前記真偽錠前部品１０６が解錠部品１０３及びセーフティロック部品１０５を含み、前記セーフティロック部品１０５が、前記開きチャンバ９０の後側に設置される上下対称的な、且つ前に開口した挿しチャンバ７６を含み、前記挿しチャンバ７６の後側壁の中には第一感応ブロック７３が固定的に設けられ、前記挿しチャンバ７６の下側壁の中には第一空きチャンバ７５が連通して設けられ、前記第一空きチャンバ７５の中にはキーの下端と噛み合える第一プーリ７４が回転できるように設けられ、前記第一プーリ７４の後側には回転できる第二プーリ７１が連結され、前記挿しチャンバ７６の後側壁の中には前記第一空きチャンバ７５と連通する第二空きチャンバ６２が設けられ、前記第二空きチャンバ６２の中には前記第二プーリ７１と噛み合うアンチセフトスライダ７２がスライドできるように装着され、前記アンチセフトスライダ７２の後端には第一アンチセフト軸７０が回転できるように装着され、前記第一アンチセフト軸７０の後端には第一ベベルギヤ６９が固定的に連結され、前記第二空きチャンバ６２の中には前記第一ベベルギヤ６９と噛み合える第二ベベルギヤ５２が設けられ、前記第二ベベルギヤ５２の左端には第三ベベルギヤ５０が固定的に連結され、前記第三ベベルギヤ５０の軸心のところには第二アンチセフト軸５１が固定的に連結され、上下両側の前記第二アンチセフト軸５１の間がベルトにより連結され、前記第二空きチャンバ６２の後側には動力部品１０２が設けられ、前記開きチャンバ９０の下側にはセーフティロック補助部品１０７が設けられ、前記セーフティロック補助部品１０７の後側壁の中には施錠部品１０４が設けられる。
【００１５】
前記暗証番号スライドドア部品１０１は、前記開きチャンバ９０の中に設置される左右対称のスライドドア７８を含み、前記スライドドア７８には上下対称のスライドロッド溝２４が設置され、前記スライドロッド溝２４の中には一端が前記開きチャンバ９０に固定的に連結されるスライドロッド８９がスライドできるように連結され、前記スライドドア７８には第一ばね８８が固定的に設けられ、前記スライドドア７８の上端の中には上に開口した第一引っ掛かり溝９６が設けられ、前記開きチャンバ９０の上側壁の中には第三空きチャンバ７７が設けられ、前記第三空きチャンバ７７の上側壁の中には暗証番号で制御できる暗証番号モータ９８が固定的に設けられ、前記暗証番号モータ９８の下端には暗証番号軸９７が連結され、前記暗証番号軸９７の下端にはリール９５が固定的に連結され、前記第三空きチャンバ７７の左右側壁の中には前記リール９５と引き線により連結される第一リール機構９４が設けられ、前記第一リール機構９４の下側には、下に開口し、且つ、前記第一引っ掛かり溝９６と位置合わせする暗証番号スライダ溝９３が設けられ、前記暗証番号スライダ溝９３の中には、下端が前記第一引っ掛かり溝９６の中に伸びており、且つ、前記第一リール機構９４と引き線により連結される暗証番号スライダ９２が設けられ、前記暗証番号スライダ９２の上端には第二ばね２３が固定的に連結され、暗証番号を入力することにより暗証番号モータ９８を始動し、暗証番号錠を第一の防護とし、錠の安全性能を大幅に向上させる。
【００１６】
前記セーフティロック補助部品１０７は、前記開きチャンバ９０の下側に設置される上に開口した補助アンチセフト溝８７を含み、前記補助アンチセフト溝８７の中には回転できる第一ギヤ８２が設けられ、前記第一ギヤ８２の上端には左右にスライドできる第一ラック８３が噛み合って連結され、前記第一ラック８３の上端には左側の前記スライドドア７８と固定的に連結される第一固定ブロック８４が固定的に連結され、前記第一ギヤ８２の下端には左右にスライドできる第二ラック８５が噛み合って連結され、前記第二ラック８５の上端において前記第一ラック８３の前側には右側の前記スライドドア７８と固定的に連結される第二固定ブロック８０が固定的に連結され、前記補助アンチセフト溝８７の後側には第四空きチャンバ４２が設けられ、前記第一ギヤ８２の軸心のところには後端が前記第四空きチャンバ４２の中に伸びている第一補助アンチセフト軸８１が固定的に連結され、前記第一補助アンチセフト軸８１の後端には第四ベベルギヤ４１が固定的に連結され、前記第四ベベルギヤ４１の左端には第五ベベルギヤ４０が固定的に連結され、前記第五ベベルギヤ４０の軸心のところには、右端が下側の前記第二アンチセフト軸５１とベルトにより連結される第二補助アンチセフト軸９９が連結され、これにより更に錠の安全性能を向上させる。
【００１７】
前記動力部品１０２は、上側の前記第二空きチャンバ６２の上側壁の中に設置されるミニモータ６７を含み、前記ミニモータ６７が前記第一感応ブロック７３と電気的に接続でき、前記ミニモータ６７の下端には第一主軸６１が連結され、前記第一主軸６１には前記第一ベベルギヤ６９と噛み合える第六ベベルギヤ６０が固定的に連結され、前記第二空きチャンバ６２の下側壁の中には第五空きチャンバ２２が設けられ、前記第五空きチャンバ２２の中には第七ベベルギヤ５８が上下対称的に設けられ、前記第一主軸６１の下端が前記第五空きチャンバ２２の中に伸びており、且つ上側の前記第七ベベルギヤ５８と固定的に連結され、前記第七ベベルギヤ５８の左端には第八ベベルギヤ５７が噛み合って連結され、下側の前記第七ベベルギヤ５８の軸心のところには第二主軸３６が固定的に連結され、前記第二主軸３６の下端が下側の前記第二空きチャンバ６２の中に伸びており、且つ前記第二主軸３６の下端には下側の前記第一ベベルギヤ６９と噛み合える第九ベベルギヤ２５が固定的に連結され、これにより同時に解錠に動力を提供する。
【００１８】
前記解錠部品１０３は、前記開きチャンバ９０の後側に設置される前に開口した解錠溝６５を含み、前記解錠溝６５の後側壁の中には前記ミニモータ６７と電気的に接続できる第二感応ブロック２６が固定的に設けられ、前記解錠溝６５の下側にはギヤトレーン溝６４が連通して設けられ、前記ギヤトレーン溝６４の中にはキーと連結できるギヤトレーン６３が設けられ、前記ギヤトレーン溝６４の後側壁の中には前記第五空きチャンバ２２と連通する第六空きチャンバ５５が連通して設けられ、前記第六空きチャンバ５５の中には前後にスライドできる解錠スライダ５９が設けられ、前記解錠スライダ５９の後端には解錠軸３１が回転できるように装着され、前記解錠軸３１の後端には方形ブロック３２が固定的に連結され、前記解錠軸３１には前記第七ベベルギヤ５８と噛み合える解錠ギヤ３３が固定的に連結され、前記第五空きチャンバ２２の後側内壁には前記方形ブロック３２と結合できるスプラインブロック３４が回転できるように装着され、前記第五空きチャンバ２２の下側壁の中には後ろに開口したロック溝４９が設けられ、前記ロック溝４９の中には前後にスライドでき、且つ下端が歯形であるスライドロックブロック３８が設けられ、前記スライドロックブロック３８の上端の中には上に開口した第二引っ掛かり溝４７が設けられ、前記スライドロックブロック３８の下端にはばね機構４８が固定的に設けられ、前記第五空きチャンバ２２と前記ロック溝４９との間には解錠孔３５が連通して設けられ、前記解錠孔３５の中には、前記第二引っ掛かり溝４７の中まで上下にスライドできる第二引っ掛かりブロック３７が設けられ、前記スプラインブロック３４と前記第二引っ掛かりブロック３７とが引き線２１により連結され、前記解錠溝６５の中にキーを挿し、キーが後ろへスライドする時、下端の歯形がギヤトレーン６３により解錠スライダ５９を連動させて前へスライドさせ、キーの後端が第二感応ブロック２６と接触する時、解錠ギヤ３３が第七ベベルギヤ５８と噛み合い、方形ブロック３２がスプラインブロック３４の中に引っ掛かり、第二感応ブロック２６がミニモータ６７を制御して始動し、ミニモータ６７が起動して第一主軸６１を連動させて回転させ、第一主軸６１が上側の第七ベベルギヤ５８を連動させて回転させ、上側の第七ベベルギヤ５８が解錠ギヤ３３を連動させて回転させ、解錠ギヤ３３が解錠軸３１を連動させて回転させ、解錠軸３１が方形ブロック３２を連動させて回転させ、方形ブロック３２がスプラインブロック３４を連動させて回転させ、スプラインブロック３４が引き線２１により第二引っ掛かりブロック３７を連動させて上へスライドさせ、これにより第二引っ掛かりブロック３７が第二引っ掛かり溝４７との噛み合いから離脱でき、第二引っ掛かり溝４７がばね機構４８の作用のもとで左へスライドすれば解錠でき、もし正確に本当のキーホールを見つければキーで簡単に錠をアンロックすることができ、錠の安全性能を強化する一方、解錠を非常に難しくすることはない。
【００１９】
前記施錠部品１０４は、前記ロック溝４９の下側壁の中に設置される上に開口した施錠溝３９を含み、前記施錠溝３９の中には前記スライドロックブロック３８の下端歯形と噛み合える第一施錠ギヤ４３が設けられ、前記第一施錠ギヤ４３の軸心のところには第一施錠軸４４が固定的に連結され、前記施錠溝３９の左側壁の中には第七空きチャンバ３０が設けられ、前記第一施錠軸４４の左端にはラチェット２８が固定的に連結され、前記ラチェット２８の下端には第二施錠ギヤ２９が噛み合って連結され、前記第二施錠ギヤ２９の軸心のところには外界に伸びている第二施錠軸４６が固定的に連結され、前記第二施錠軸４６の下端には施錠ボール４５が固定的に連結され、施錠ボール４５を回転させることによりスライドロックブロック３８を後ろへロックするまでスライドさせ、便利に錠をロックすることができ、その中、スライドロックブロック３８が前にスライドする時にラチェット２８が施錠ボール４５を回転しないようにすることができる。
【００２０】
本発明のマルチロックを使用する時、暗証番号を入力することにより暗証番号モータ９８を始動し、暗証番号モータ９８が暗証番号軸９７を連動させて回転させ、暗証番号軸９７がリール９５を連動させて回転させ、リール９５が回転して第一リール機構９４により暗証番号スライダ９２を引き動かして上へ第一引っ掛かり溝９６から離脱するまでスライドさせ、スライドドア７８が第一ばね８８の作用のもとで両側にスライドして開き（解錠した後で手動でスライドドア７８を閉めることができる）、キーを解錠溝６５の中に挿し、キーが後ろへスライドする時、下端の歯形がギヤトレーン６３により解錠スライダ５９を連動させて前へスライドさせ、キーの後端が第二感応ブロック２６と接触する時、解錠ギヤ３３が第七ベベルギヤ５８と噛み合い、方形ブロック３２がスプラインブロック３４の中に引っ掛かり、第二感応ブロック２６がミニモータ６７を制御して始動し、ミニモータ６７が起動して第一主軸６１を連動させて回転させ、第一主軸６１が上側の第七ベベルギヤ５８を連動させて回転させ、上側の第七ベベルギヤ５８が解錠ギヤ３３を連動させて回転させ、解錠ギヤ３３が解錠軸３１を連動させて回転させ、解錠軸３１が方形ブロック３２を連動させて回転させ、方形ブロック３２がスプラインブロック３４を連動させて回転させ、スプラインブロック３４が引き線２１により第二引っ掛かりブロック３７を連動させて上へスライドさせ、これにより第二引っ掛かりブロック３７が第二引っ掛かり溝４７との噛み合いから離脱でき、第二引っ掛かり溝４７がばね機構４８の作用のもとで左へスライドすれば解錠でき、キーを上側の挿しチャンバ７６の中に挿す時、挿しチャンバ７６の中にキーを挿し、キーが後ろへスライドして第一プーリ７４を回転させ、第一プーリ７４が第二プーリ７１を連動させて回転させ、第二プーリ７１がアンチセフトスライダ７２を連動させて後ろへスライドさせ、キーが第一感応ブロック７３と接触する時、第一ベベルギヤ６９が第二ベベルギヤ５２と噛み合い、第一感応ブロック７３がミニモータ６７を制御して始動し、ミニモータ６７が第一主軸６１を連動させて回転させ、第一主軸６１が第六ベベルギヤ６０を連動させて回転させ、第六ベベルギヤ６０が第一ベベルギヤ６９を連動させて回転させ、第一ベベルギヤ６９が第二ベベルギヤ５２を連動させて回転させ、第二ベベルギヤ５２が第三ベベルギヤ５０を連動させて回転させ、第三ベベルギヤ５０が上側の第二アンチセフト軸５１を連動させて回転させ、上側の第二アンチセフト軸５１がベルトにより下側の第二アンチセフト軸５１を連動させて回転させ、下側の第二アンチセフト軸５１がベルトにより第二補助アンチセフト軸９９を連動させて回転させ、第二補助アンチセフト軸９９が回転して第五ベベルギヤ４０を連動させて回転させ、第五ベベルギヤ４０が第四ベベルギヤ４１を連動させて回転させ、第四ベベルギヤ４１が第一補助アンチセフト軸８１を連動させて回転させ、第一補助アンチセフト軸８１が第一ギヤ８２を連動させて回転させ、第一ギヤ８２が回転して第一ラック８３を右へスライドさせ、第一ラック８３が第一固定ブロック８４により左側のスライドドア７８を右へ閉めるまでスライド連動させ、同時に、第一ギヤ８２が回転して第二ラック８５を左へスライドさせ、第二ラック８５が第二固定ブロック８０により右側のスライドドア７８を左へ閉めるまでスライドさせ、キーを下側の挿しチャンバ７６の中に挿す時、上側の挿しチャンバ７６に挿す時との唯一の区別は、ミニモータ６７が起動した後、ミニモータ６７が第一主軸６１を連動させて回転させ、第一主軸６１が上側の第七ベベルギヤ５８を連動させて回転させ、上側の第七ベベルギヤ５８が第八ベベルギヤ５７を連動させて回転させ、第八ベベルギヤ５７が下側の第七ベベルギヤ５８を連動させて回転させ、下側の第七ベベルギヤ５８が第二主軸３６を連動させて回転させ、第二主軸３６が第九ベベルギヤ２５を連動させて回転させ、第九ベベルギヤ２５が第一ベベルギヤ６９を連動させて回転させ、最終的にスライドドア７８を閉めることができ、錠を保護することができる。
【００２１】
本発明の有益効果は：本発明のマルチロックは全体構成ではもっと合理的で巧妙であり、使用しやすく、暗証番号錠を第一の防護とし、錠の安全性能を大幅に向上させ、且つスライドドアを閉めることにより挿しチャンバにあるキーをロックでき、更に錠の安全性能を向上させ、高い使用価値と普及価値を有する。
【００２２】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020180533.tif 000003
【図２】
2020180533.tif 000004
【図３】
2020180533.tif 000005
【図４】
2020180533.tif 000006
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
主体を含み、前記主体の中には前に開口した開きチャンバが設けられ、前記開きチャンバの中には暗証番号スライドドア部品が設けられ、前記開きチャンバの後側壁の中には真偽錠前部品が設けられ、前記真偽錠前部品が解錠部品及びセーフティロック部品を含み、前記セーフティロック部品が、前記開きチャンバの後側に設置される上下対称的な、且つ前に開口した挿しチャンバを含み、前記挿しチャンバの後側壁の中には第一感応ブロックが固定的に設けられ、前記挿しチャンバの下側壁の中には第一空きチャンバが連通して設けられ、前記第一空きチャンバの中にはキーの下端と噛み合える第一プーリが回転できるように設けられ、前記第一プーリの後側には回転できる第二プーリが連結され、前記挿しチャンバの後側壁の中には前記第一空きチャンバと連通する第二空きチャンバが設けられ、前記第二空きチャンバの中には前記第二プーリと噛み合うアンチセフトスライダがスライドできるように装着され、前記アンチセフトスライダの後端には第一アンチセフト軸が回転できるように装着され、前記第一アンチセフト軸の後端には第一ベベルギヤが固定的に連結され、前記第二空きチャンバの中には前記第一ベベルギヤと噛み合える第二ベベルギヤが設けられ、前記第二ベベルギヤの左端には第三ベベルギヤが固定的に連結され、前記第三ベベルギヤの軸心のところには第二アンチセフト軸が固定的に連結され、上下両側の前記第二アンチセフト軸の間がベルトにより連結され、前記第二空きチャンバの後側には動力部品が設けられ、前記開きチャンバの下側にはセーフティロック補助部品が設けられ、前記セーフティロック補助部品の後側壁の中には施錠部品が設けられ、
前記暗証番号スライドドア部品は、前記開きチャンバの中に設置される左右対称のスライドドアを含み、前記スライドドアには上下対称のスライドロッド溝が設置され、前記スライドロッド溝の中には一端が前記開きチャンバに固定的に連結されるスライドロッドがスライドできるように連結され、前記スライドドアには第一ばねが固定的に設けられ、前記スライドドアの上端の中には上に開口した第一引っ掛かり溝が設けられ、前記開きチャンバの上側壁の中には第三空きチャンバが設けられ、前記第三空きチャンバの上側壁の中には暗証番号で制御できる暗証番号モータが固定的に設けられ、前記暗証番号モータの下端には暗証番号軸が連結され、前記暗証番号軸の下端にはリールが固定的に連結され、前記第三空きチャンバの左右側壁の中には前記リールと引き線により連結される第一リール機構が設けられ、前記第一リール機構の下側には、下に開口し、且つ、前記第一引っ掛かり溝と位置合わせする暗証番号スライダ溝が設けられ、前記暗証番号スライダ溝の中には、下端が前記第一引っ掛かり溝の中に伸びており、且つ、前記第一リール機構と引き線により連結される暗証番号スライダが設けられ、前記暗証番号スライダの上端には第二ばねが固定的に連結され、
前記セーフティロック補助部品は、前記開きチャンバの下側に設置される上に開口した補助アンチセフト溝を含み、前記補助アンチセフト溝の中には回転できる第一ギヤが設けられ、前記第一ギヤの上端には左右にスライドできる第一ラックが噛み合って連結され、前記第一ラックの上端には左側の前記スライドドアと固定的に連結される第一固定ブロックが固定的に連結され、前記第一ギヤの下端には左右にスライドできる第二ラックが噛み合って連結され、前記第二ラックの上端において前記第一ラックの前側には右側の前記スライドドアと固定的に連結される第二固定ブロックが固定的に連結され、前記補助アンチセフト溝の後側には第四空きチャンバが設けられ、前記第一ギヤの軸心のところには後端が前記第四空きチャンバの中に伸びている第一補助アンチセフト軸が固定的に連結され、前記第一補助アンチセフト軸の後端には第四ベベルギヤが固定的に連結され、前記第四ベベルギヤの左端には第五ベベルギヤが固定的に連結され、前記第五ベベルギヤの軸心のところには、右端が下側の前記第二アンチセフト軸とベルトにより連結される第二補助アンチセフト軸が連結され、
前記動力部品は、上側の前記第二空きチャンバの上側壁の中に設置されるミニモータを含み、前記ミニモータが前記第一感応ブロックと電気的に接続でき、前記ミニモータの下端には第一主軸が連結され、前記第一主軸には前記第一ベベルギヤと噛み合える第六ベベルギヤが固定的に連結され、前記第二空きチャンバの下側壁の中には第五空きチャンバが設けられ、前記第五空きチャンバの中には第七ベベルギヤが上下対称的に設けられ、前記第一主軸の下端が前記第五空きチャンバの中に伸びており、且つ上側の前記第七ベベルギヤと固定的に連結され、前記第七ベベルギヤの左端には第八ベベルギヤが噛み合って連結され、下側の前記第七ベベルギヤの軸心のところには第二主軸が固定的に連結され、前記第二主軸の下端が下側の前記第二空きチャンバの中に伸びており、且つ前記第二主軸の下端には下側の前記第一ベベルギヤと噛み合える第九ベベルギヤが固定的に連結され、
前記解錠部品は、前記開きチャンバの後側に設置される前に開口した解錠溝を含み、前記解錠溝の後側壁の中には前記ミニモータと電気的に接続できる第二感応ブロックが固定的に設けられ、前記解錠溝の下側にはギヤトレーン溝が連通して設けられ、前記ギヤトレーン溝の中にはキーと連結できるギヤトレーンが設けられ、前記ギヤトレーン溝の後側壁の中には前記第五空きチャンバと連通する第六空きチャンバが連通して設けられ、前記第六空きチャンバの中には前後にスライドできる解錠スライダが設けられ、前記解錠スライダの後端には解錠軸が回転できるように装着され、前記解錠軸の後端には方形ブロックが固定的に連結され、前記解錠軸には前記第七ベベルギヤと噛み合える解錠ギヤが固定的に連結され、前記第五空きチャンバの後側内壁には前記方形ブロックと結合できるスプラインブロックが回転できるように装着され、前記第五空きチャンバの下側壁の中には後ろに開口したロック溝が設けられ、前記ロック溝の中には前後にスライドでき、且つ下端が歯形であるスライドロックブロックが設けられ、前記スライドロックブロックの上端の中には上に開口した第二引っ掛かり溝が設けられ、前記スライドロックブロックの下端にはばね機構が固定的に設けられ、前記第五空きチャンバと前記ロック溝との間には解錠孔が連通して設けられ、前記解錠孔の中には、前記第二引っ掛かり溝の中まで上下にスライドできる第二引っ掛かりブロックが設けられ、前記スプラインブロックと前記第二引っ掛かりブロックとが引き線により連結され、前記施錠部品は、前記ロック溝の下側壁の中に設置される上に開口した施錠溝を含み、前記施錠溝の中には前記スライドロックブロックの下端歯形と噛み合える第一施錠ギヤが設けられ、前記第一施錠ギヤの軸心のところには第一施錠軸が固定的に連結され、前記施錠溝の左側壁の中には第七空きチャンバが設けられ、前記第一施錠軸の左端にはラチェットが固定的に連結され、前記ラチェットの下端には第二施錠ギヤが噛み合って連結され、前記第二施錠ギヤの軸心のところには外界に伸びている第二施錠軸が固定的に連結され、前記第二施錠軸の下端には施錠ボールが固定的に連結されることを特徴とする安全性能を強化したマルチロック。